【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
無線通信システムにおいてＢＳＳ（Ｂａｓｉｃ  Ｓｅｒｖｉｃｅ  Ｓｅｔ）に属したステーション（ＳＴＡ）によってフレームを送信する方法であって、前記方法は、
送信されるフレームのためのＰＡＩＤ（Ｐａｒｔｉａｌ  Ａｓｓｏｃｉａｔｉｏｎ  Ｉｄｅｎｔｉｆｉｅｒ）を設定することと、
前記ＰＡＩＤを含む前記フレームを送信することと
を含み、
前記フレームが制御フレームではない場合に、前記ＰＡＩＤは、前記ＢＢＳのＢＳＳＩＤ（Ｂａｓｉｃ  Ｓｅｒｖｉｃｅ  Ｓｅｔ  Ｉｄｅｎｔｉｆｉｅｒ）を使用して計算される、０以外の値に設定され、
前記フレームが制御フレームである場合に、前記ＰＡＩＤは、０に設定される、方法。
【請求項２】
前記ＳＴＡが非アクセスポイント（ＡＰ）ＳＴＡであり、かつ、前記フレームが、制御フレームではない上りリンクフレームである場合に、前記ＰＡＩＤの０以外の値は、前記ＢＳＳＩＤに基づいて計算される、請求項１に記載の方法。
【請求項３】
制御フレームではない前記上りリンクフレームの前記ＰＡＩＤの０以外の値は、（ｄｅｃ（ＢＳＳＩＤ［３９：４７］）ｍｏｄ（２９−１））＋１として計算され、
ＢＳＳＩＤは、前記ＢＳＳのＢＳＳＩＤを示し、ｄｅｃ（Ａ）は、２進数Ａの１０進数値を示し、Ａ［ｂ：ｃ］は、前記２進数Ａのビットｂからビットｃまでを示し、前記２進数Ａの最初のビットは、ビット０であり、ｍｏｄは、モジューロ演算を示す、請求項２に記載の方法。
【請求項４】
前記フレームは、非−ＮＤＰ（ｎｏｎ−Ｎｕｌｌ  Ｄａｔａ  Ｐａｃｋｅｔ）フレームである、請求項１に記載の方法。
【請求項５】
前記フレームは、上りリンク／下りリンク指示フィールドを含む、請求項１に記載の方法。
【請求項６】
前記ＰＡＩＤのサイズは、上りリンクフレームに対して９ビットである、請求項１に記載の方法。
【請求項７】
前記ＰＡＩＤのサイズは、下りリンクフレームに対して６ビットである、請求項６に記載の方法。
【請求項８】
前記下りリンクフレームは、３ビットのＢＳＳ  ＣＯＬＯＲ情報をさらに含む、請求項７に記載の方法。
【請求項９】
前記ＳＴＡが前記ＢＳＳのアクセスポイント（ＡＰ）であり、前記フレームが別のＳＴＡに送信される下りリンクフレームであり、及び、前記下りリンクフレームが制御フレームではない場合に、前記ＰＡＩＤの０以外の値は、前記ＢＳＳＩＤ、及び、前記ＡＰによって他のＳＴＡに割り当てられるＡＩＤ（Ａｓｓｏｃｉａｔｉｏｎ  Ｉｄｅｎｔｉｆｉｅｒ）に基づいて計算される、請求項１〜８のうちのいずれか１項に記載の方法。
【請求項１０】
制御フレームではない前記下りリンクフレームの前記ＰＡＩＤの０以外の値は、ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ２６として計算され、
ＡＩＤは、前記他のＳＴＡに割り当てられる前記ＡＩＤを示し、ＢＳＳＩＤは、前記ＢＳＳのＢＳＳＩＤを示し、ｄｅｃ（Ａ）は、２進数Ａの１０進数値を示し、Ａ［ｂ：ｃ］は、前記２進数Ａのビットｂからビットｃまでを表し、前記２進数Ａの最初のビットは、ビット０であり、ｍｏｄは、モジューロ演算を示す、請求項９に記載の方法。
【請求項１１】
無線通信システムにおいてフレームを送信するステーション（ＳＴＡ）であって、前記ＳＴＡは、
ＢＳＳ（Ｂａｓｉｃ  Ｓｅｒｖｉｃｅ  Ｓｅｔ）に通信する送受信器であって、前記ＳＴＡは、前記ＢＳＳに属する、送受信器と、
プロセッサと
を備え、
前記プロセッサは、前記送受信器を制御することによって、ＰＡＩＤ（Ｐａｒｔｉａｌ  Ａｓｓｏｃｉａｔｉｏｎ  Ｉｄｅｎｔｉｆｉｅｒ）を含むフレームを送信するように構成され、
前記プロセッサは、
前記フレームが制御フレームではない場合に、前記ＢＢＳのＢＳＳＩＤ（Ｂａｓｉｃ  Ｓｅｒｖｉｃｅ  Ｓｅｔ  Ｉｄｅｎｔｉｆｉｅｒ）を使用して、前記ＰＡＩＤを０以外の値に設定することと、
前記フレームが制御フレームである場合に、前記ＰＡＩＤを０に設定することと
を行うようにさらに構成されている、ＳＴＡ。
【請求項１２】
前記プロセッサは、前記ＳＴＡが非アクセスポイント（ＡＰ）ＳＴＡであり、かつ、前記フレームが、制御フレームではない上りリンクフレームである場合に、前記ＢＳＳＩＤに基づいて、前記ＰＡＩＤの０以外の値を計算するように構成されている、請求項１１に記載のＳＴＡ。
【請求項１３】
前記プロセッサは、制御フレームではない前記上りリンクフレームの前記ＰＡＩＤの０以外の値を（ｄｅｃ（ＢＳＳＩＤ［３９：４７］）ｍｏｄ（２９−１））＋１として計算するように構成され、
ＢＳＳＩＤは、前記ＢＳＳのＢＳＳＩＤを示し、ｄｅｃ（Ａ）は、２進数Ａの１０進数値を示し、Ａ［ｂ：ｃ］は、前記２進数Ａのビットｂからビットｃまでを示し、前記２進数Ａの最初のビットは、ビット０であり、ｍｏｄは、モジューロ演算を示す、請求項１２に記載のＳＴＡ。
【請求項１４】
前記ＳＴＡが前記ＢＳＳのアクセスポイント（ＡＰ）であり、前記フレームが別のＳＴＡに送信される下りリンクフレームであり、及び、前記下りリンクフレームが制御フレームではない場合に、前記プロセッサは、前記ＢＳＳＩＤ、及び、前記ＡＰによって他のＳＴＡに割り当てられるＡＩＤ（Ａｓｓｏｃｉａｔｉｏｎ  Ｉｄｅｎｔｉｆｉｅｒ）に基づいて、前記ＰＡＩＤの０以外の値を計算するように構成されている、請求項１１〜１３のうちのいずれか１項に記載のＳＴＡ。
【請求項１５】
前記プロセッサは、制御フレームではない前記下りリンクフレームの前記ＰＡＩＤの０以外の値をｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ２６として計算するように構成され、
ＡＩＤは、前記他のＳＴＡに割り当てられる前記ＡＩＤを示し、ＢＳＳＩＤは、前記ＢＳＳのＢＳＳＩＤを示し、ｄｅｃ（Ａ）は、２進数Ａの１０進数値を示し、Ａ［ｂ：ｃ］は、前記２進数Ａのビットｂからビットｃまでを表し、前記２進数Ａの最初のビットは、ビット０であり、ｍｏｄは、モジューロ演算を示す、請求項１４に記載のＳＴＡ。
【手続補正２】
【補正対象書類名】明細書
【補正対象項目名】００２４
【補正方法】変更
【補正の内容】
【００２４】
本発明について前述した一般的な説明と後述する詳細な説明はいずれも例示的なものであり、請求項に記載の発明に関する更なる説明のためのものである。
本願明細書は、例えば、以下の項目も提供する。
（項目１）
無線通信システムのステーション（ＳＴＡ）でフレームを送信する方法であって、
ＰＡＩＤ（Ｐａｒｔｉａｌ  Ａｓｓｏｃｉａｔｉｏｎ  Ｉｄｅｎｔｉｆｉｅｒ）フィールドを含む前記フレームを送信するステップを有し、
前記フレームがアクセスポイント（ＡＰ）に送信される上りリンクフレームである場合に、前記フレームが制御フレーム以外のフレームであれば、前記ＰＡＩＤフィールドの値は、前記ＡＰのＢＳＳＩＤ（Ｂａｓｉｃ  Ｓｅｒｖｉｃｅ  Ｓｅｔ  ＩＤ）に基づいて計算された、０以外の値に設定され、
前記フレームが前記上りリンクフレームである場合に、前記フレームが制御フレームであれば、前記ＰＡＩＤフィールドの値は０に設定される、フレーム送信方法。
（項目２）
前記上りリンクフレームが制御フレーム以外のフレームであれば、前記ＰＡＩＤフィールドの値は（ｄｅｃ（ＢＳＳＩＤ［３９：４７］）ｍｏｄ（２９−１））＋１によって計算され、
ＢＳＳＩＤは、前記ＡＰのＢＳＳＩＤであり、
ｄｅｃ（Ａ）は、Ａを１０進数に変換した値であり、
Ａ［ｂ：ｃ」は、２進数Ａの最初のビットがビット０のとき、前記Ａのビットｂからビットｃまでであり、
ｍｏｄは、モジューロ（ｍｏｄｕｌｏ）演算である、項目１に記載のフレーム送信方法。
（項目３）
前記フレームは、非−ＮＤＰ（ｎｏｎ−Ｎｕｌｌ  Ｄａｔａ  Ｐａｃｋｅｔ）フレームである、項目１に記載のフレーム送信方法。
（項目４）
前記フレームは、上りリンク／下りリンク指示フィールドを含み、
前記上りリンク／下りリンク指示フィールドの値は、前記フレームが上りリンクフレームであることを示す値に設定される、項目１に記載のフレーム送信方法。
（項目５）
前記ＰＡＩＤフィールドのサイズは９ビットである、項目１に記載のフレーム送信方法。
（項目６）
無線通信システムにおいてフレームを送信するステーション（ＳＴＡ）装置であって、
送受信器と、
プロセッサと、
を備え、
前記プロセッサは、前記送受信器を制御して、ＰＡＩＤ（Ｐａｒｔｉａｌ  Ａｓｓｏｃｉａｔｉｏｎ  Ｉｄｅｎｔｉｆｉｅｒ）フィールドを含む前記フレームを送信するように設定され、
前記フレームがアクセスポイント（ＡＰ）に送信される上りリンクフレームである場合に、前記フレームが制御フレーム以外のフレームであれば、前記ＰＡＩＤフィールドの値は、前記ＡＰのＢＳＳＩＤ（Ｂａｓｉｃ  Ｓｅｒｖｉｃｅ  Ｓｅｔ  ＩＤ）に基づいて計算された、０以外の値に設定され、
前記フレームが前記上りリンクフレームである場合に、前記フレームが制御フレームであれば、前記ＰＡＩＤフィールドの値は０に設定される、フレーム送信ＳＴＡ装置。
（項目７）
無線通信システムのステーション（ＳＴＡ）でフレームを受信する方法であって、
ＰＡＩＤ（Ｐａｒｔｉａｌ  Ａｓｓｏｃｉａｔｉｏｎ  Ｉｄｅｎｔｉｆｉｅｒ）フィールドを含むフレームを受信するステップを有し、
前記フレームがアクセスポイント（ＡＰ）から受信される下りリンクフレームである場合に、前記フレームが制御フレーム以外のフレームであれば、前記ＰＡＩＤフィールドの値は、前記ＡＰによって前記ＳＴＡに割り当てられるＡＩＤ及び前記ＡＰのＢＳＳＩＤ（Ｂａｓｉｃ  Ｓｅｒｖｉｃｅ  Ｓｅｔ  ＩＤ）に基づいて計算された値に設定され、
前記フレームが前記下りリンクフレームである場合に、前記フレームが制御フレームであれば、前記ＰＡＩＤフィールドの値は０に設定される、フレーム受信方法。
（項目８）
前記下りリンクフレームが制御フレーム以外のフレームであれば、前記ＰＡＩＤフィールドは、ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ２６によって計算され、
ＡＩＤは、前記ＳＴＡに割り当てられたＡＩＤであり、
ＢＳＳＩＤは、前記ＡＰのＢＳＳＩＤであり、
ｄｅｃ（Ａ）は、Ａを１０進数に変換した値であり、
Ａ［ｂ：ｃ」は、２進数Ａの最初のビットがビット０のとき、前記Ａのビットｂからビットｃまでであり、
ｍｏｄは、モジューロ（ｍｏｄｕｌｏ）演算である、項目７に記載のフレーム受信方法。
（項目９）
前記下りリンクフレームが制御フレーム以外のフレームであれば、前記ＰＡＩＤフィールドの値は、０以外の値に設定される、項目７に記載のフレーム受信方法。
（項目１０）
前記フレームが下りリンクフレームである場合に、前記フレームはＣＯＬＯＲフィールドをさらに含み、
前記ＣＯＬＯＲフィールドの値は、０から７までの範囲内の一つの値に設定される、項目７に記載のフレーム受信方法。
（項目１１）
前記フレームは、非−ＮＤＰ（ｎｏｎ−Ｎｕｌｌ  Ｄａｔａ  Ｐａｃｋｅｔ）フレームである、項目７に記載のフレーム受信方法。
（項目１２）
前記フレームは、上りリンク／下りリンク指示フィールドを含み、
前記上りリンク／下りリンク指示フィールドの値は、前記フレームが下りリンクフレームであることを示す値に設定される、項目７に記載のフレーム受信方法。
（項目１３）
前記ＰＡＩＤフィールドのサイズは６ビットである、項目７に記載のフレーム受信方法。
（項目１４）
無線通信システムにおいてフレームを受信するステーション（ＳＴＡ）装置であって、
送受信器と、
プロセッサと、
を備え、
前記プロセッサは、前記送受信器を制御して、ＰＡＩＤ（Ｐａｒｔｉａｌ  Ａｓｓｏｃｉａｔｉｏｎ  Ｉｄｅｎｔｉｆｉｅｒ）フィールドを含む前記フレームを受信するように設定され、
前記フレームがアクセスポイント（ＡＰ）から受信される下りリンクフレームである場合に、前記フレームが制御フレーム以外のフレームであれば、前記ＰＡＩＤフィールドの値は、前記ＡＰによって前記ＳＴＡに割り当てられるＡＩＤ及び前記ＡＰのＢＳＳＩＤ（Ｂａｓｉｃ  Ｓｅｒｖｉｃｅ  Ｓｅｔ  ＩＤ）に基づいて計算された値に設定され、
前記フレームが前記下りリンクフレームである場合に、前記フレームが制御フレームであれば、前記ＰＡＩＤフィールドの値は０に設定される、フレーム受信ＳＴＡ装置。